(57)【要約】【課題】太陽電池のみでなく外部電源からも予備電池と電池内蔵機器を充電する。太陽電池に太陽光線を照射しながら、電池内蔵機器を太陽光線で照射することなく電池内蔵機器の電池を充電する。【解決手段】ソーラー充電器は、電池内蔵機器３０を上に載せて充電する充電台１と、この充電台１に蝶番３を介して折り畳みできるように連結されて、表面側に太陽電池４を固定してなる太陽電池パネル２と、充電台１に内蔵されて太陽電池パネル２の出力で充電される予備電池５と、充電台１と太陽電池パネル２のいずれかに脱着自在に接続されて外部電力を入力する外部電源２０と、この外部電源２０と予備電池５と太陽電池パネル２のいずれかの電力で電池内蔵機器３０を充電する充電回路８とを備える。ソーラー充電器は、太陽電池パネル２を充電台１から開いて発電する状態で、充電台１に載せられる電池内蔵機器３０に内蔵される電池を充電する。【選択図】図４
2010074894.tif 000002
【特許請求の範囲】
【請求項１】
充電できる電池を内蔵している電池内蔵機器(30)、(90)を上に載せて充電できる充電台(1)、(40)、(101)、(140)と、この充電台(1)、(40)、(101)、(140)の側縁に蝶番(3)を介して傾動でき、かつ充電台(1)、(40)、(101)、(140)に積層するように折り畳みできるように連結され、さらに折り畳み状態で表面に位置する表面側に太陽電池(4)を固定してなる太陽電池パネル(2)と、前記充電台(1)、(40)、(101)、(140)に内蔵されて太陽電池パネル(2)の出力で充電される予備電池(5)、(45)と、充電台(1)、(40)、(101)、(140)と太陽電池パネル(2)のいずれかに脱着自在に接続されて外部電力を入力する外部電源(20)と、この外部電源(20)と予備電池(5)、(45)と太陽電池パネル(2)のいずれかの電力で電池内蔵機器(30)、(90)を充電する充電回路(8)、(48)とを備え、
前記太陽電池パネル(2)が充電台(1)、(40)、(101)、(140)から開かれて発電する状態で、前記充電台(1)、(40)、(101)、(140)に載せられる電池内蔵機器(30)、(90)に内蔵される電池が充電されるようにしてなるソーラー充電器。
【請求項２】
前記充電台(40)、(101)に脱着自在に連結される、充電できる電池(57)、(17)、(27)を内蔵するサブの予備電池(55)、(15)、(25)を備えており、このサブの予備電池(55)、(15)、(25)が、バッテリコネクタ(58)、(18)、(28)を介して充電台(40)、(101)に接続されてなる請求項１に記載されるソーラー充電器。
【請求項３】
前記サブの予備電池(55)を、前記充電台(40)の下に積層して連結してなる請求項１に記載されるソーラー充電器。
【請求項４】
前記サブの予備電池(55)と前記充電台(40)が同じ外形でほぼ同じ大きさである請求項３に記載されるソーラー充電器。
【請求項５】
前記充電台(40)、(140)又は太陽電池パネル(2)のいずれかにリード線(46)を介して脱着自在に接続されるサブの太陽電池パネル(50)を備えており、このサブの太陽電池パネル(50)が前記充電回路(48)に接続されて前記予備電池(45)と電池内蔵機器(30)、(90)の電池のいずれか又は両方を充電するようにしてなる請求項１に記載されるソーラー充電器。
【請求項６】
前記サブの太陽電池パネル(50)が吸盤(53)を有する請求項５に記載されるソーラー充電器。
【請求項７】
前記充電台(40)、(140)が、磁気誘導作用で電池内蔵機器(90)に交流電力を供給する電源コイル(61)と、この電源コイル(61)に高周波電力を供給する交流電源(62)とを内蔵している請求項１に記載されるソーラー充電器。
【請求項８】
前記充電台(40)、(140)が、電源コイル(61)と交流電源(62)を内蔵するワイヤレス充電プレート(42)、(142)を備え、このワイヤレス充電プレート(42)、(142)を充電台(40)、(140)の本体部(41)、(141)の上に配置できるようにしてなる請求項７に記載されるソーラー充電器。
【請求項９】
前記充電台(40)が、磁気誘導作用で電池内蔵機器(90)に交流電力を供給する電源コイル(61)と、この電源コイル(61)に高周波電力を供給する交流電源(62)と、上に載せられる電池内蔵機器(90)の位置に電源コイル(61)を移動させる移動機構(63)とを内蔵している請求項１に記載されるソーラー充電器。
【請求項１０】
前記充電台(40)が、電源コイル(61)と交流電源(62)と移動機構(63)を内蔵するワイヤレス充電プレート(42)を備え、このワイヤレス充電プレート(42)を充電台(40)の本体部(41)の上に脱着できるように積層されてなる請求項９に記載されるソーラー充電器。
【請求項１１】
前記太陽電池パネル(2)の裏面に設けてなる表示パネル(9)を備え、この表示パネル(9)が太陽電池(4)と外部電源(20)による予備電池(5)、(45)と電池内蔵機器(30)、(90)の充電状態を表示するようにしてなる請求項１に記載されるソーラー充電器。
【請求項１２】
前記表示パネル(9)が、前記太陽電池(4)と前記予備電池(5)、(45)と前記外部電源(20)と電池内蔵機器(30)、(90)とを表示しており、さらに、太陽電池(4)から予備電池(5)、(45)と電池内蔵機器(30)、(90)への充電経路と、外部電源(20)から予備電池(5)、(45)と電池内蔵機器(30)、(90)への充電経路を表示してなる請求項１１に記載されるソーラー充電器。
【請求項１３】
前記充電台(1)、(40)、(101)、(140)に、電池内蔵機器(30)に接続する充電コネクタ(11)を設けている請求項１に記載されるソーラー充電器。
【請求項１４】
前記充電台(1)、(40)、(101)、(140)に、電池内蔵機器(30)に接続するＵＳＢコネクタ(12)を設けている請求項１に記載されるソーラー充電器。
【請求項１５】
前記充電台(1)、(40)、(101)、(140)と太陽電池パネル(2)との連結部に外部電源(20)を接続する電源コネクタ(10)を設けている請求項１に記載されるソーラー充電器。
【請求項１６】
前記充電台(1)と太陽電池パネル(2)の外形が四角形で、前記充電台(1)の長さ（Ｌ１）と前記太陽電池パネル(2)の長さ（Ｌ２）が等しく、充電台(1)の幅（Ｗ１）が前記太陽電池パネル(2)の幅（Ｗ２）よりも広く、前記充電台(1)の上面には、太陽電池パネル(2)を積層する凹部(6)を設けており、この凹部(6)の外側であって、太陽電池パネル(2)を連結している蝶番(3)の反対側の側縁に沿って凸部(7)を設けて、この凸部(7)の内部に予備電池(5)を配置している請求項１に記載されるソーラー充電器。
【請求項１７】
前記予備電池(5)、(45)の放電状態において、前記予備電池(5)、(45)の残容量が所定容量まで低下し、あるいは、前記予備電池(5)、(45)の電圧が所定電圧まで低下すると、前記充電回路(8)、(48)が、前記外部電源(20)から予備電池(5)、(45)を充電すると共に、前記外部電源(20)の電力を外部へ放電するフローティングモードとする請求項１に記載されるソーラー充電器。
【発明の詳細な説明】
【技術分野】
【０００１】
本発明は、太陽電池で携帯電話などの電池内蔵機器の電池を充電するソーラー充電器に関する。
【背景技術】
【０００２】
太陽電池で電池を充電するソーラー充電器は開発されている。（特許文献１参照）
特許文献１に記載するソーラー充電器は、図１と図２に示すように、四角錐状のケース２０１の底面２０２に太陽電池２０４を固定して、内部には予備電池２０５を設けている。さらに、充電される外部電池２０６を脱着自在に収納している。このソーラー充電器は、底面２０２の太陽電池２０４を太陽に向くように配置して、太陽電池２０４で外部電池２０６や予備電池２０５を充電する。
【特許文献１】特開２００８−１０４２４９号公報
【発明の開示】
【発明が解決しようとする課題】
【０００３】
図に示すソーラー充電器は、太陽の仰角によってケースの姿勢を変更して、四季を通じて太陽電池で外部電池を効率よく充電できる。このソーラー充電器は、単３電池などの外部電池をケースに設けた装着部にセットして充電するので、電池の装着部を、充電する電池に専用の形状としている。このため、外形が異なる種々の電池内蔵機器の電池を充電できない欠点がある。このソーラー充電器は、たとえば携帯電話等に接続されるコネクタを設け、コネクタを介して携帯電話などを接続して内蔵する電池を充電する構造として、種々の電池内蔵機器の充電に利用できる。ただ、この構造のソーラー充電器は、太陽電池の発電電力を大きくするために、太陽光線が照射される位置に配置すると、リード線を介して接続している電池内蔵機器も一緒に太陽電池に照射されて加熱される弊害がある。充電している電池の温度上昇は、電池の性能を低下させる原因となり、またリチウムイオン電池などにあっては安全性も阻害する原因となる。リード線を長くしてこの弊害を防止できるが、長いリード線は便利に使用できなくなる等の別の弊害が発生する。
【０００４】
また、以上のソーラー充電器は、太陽の仰角に合わせて太陽電池を配置するために、ケースの全体形状を四角錐状とするので、薄くできないことから持ち運びに不便な欠点がある。とくに、この構造のソーラー充電器は、太陽電池の面積を大きくすると、さらに厚く大きくなって持ち運びが極めて不便になってしまう。
【０００５】
さらにまた、四季や時間帯によって太陽の仰角が変化することから、全てのシーズンのあらゆる時間帯において、太陽電池を最適な角度に配置できない欠点もある。
【０００６】
本発明は、以上の欠点を解決することを目的に開発されたものである。本発明の重要な目的は、太陽の仰角に関係なく、四季を通じて太陽電池を太陽に向けて効率よく太陽光線で発電でき、さらに太陽電池のみでなく外部電源からも予備電池と電池内蔵機器を充電して、太陽電池の出力が十分でない状態においても電池内蔵機器を速やかに充電できるソーラー充電器を提供することにある。
また、本発明は、太陽電池パネルを大きな面積としながら、薄く折り畳んで便利に持ち運びでき、しかも、太陽電池に太陽光線を照射しながら、電池内蔵機器を太陽光線で照射することなく電池内蔵機器の電池を充電でき、電池内蔵機器の電池の熱による弊害を防止しながら太陽電池パネルで効率よく発電して電池内蔵機器の電池を速やかに充電できるソーラー充電器を提供することにある。
【課題を解決するための手段及び発明の効果】
【０００７】
本発明のソーラー充電器は、充電できる電池を内蔵している電池内蔵機器３０、９０を上に載せて充電できる充電台１、４０、１０１、１４０と、この充電台１、４０、１０１、１４０の側縁に蝶番３を介して傾動でき、かつ充電台１、４０、１０１、１４０に積層するように折り畳みできるように連結され、さらに折り畳み状態で表面に位置する表面側に太陽電池４を固定してなる太陽電池パネル２と、充電台１、４０、１０１、１４０に内蔵されて太陽電池パネル２の出力で充電される予備電池５、４５と、充電台１、４０、１０１、１４０と太陽電池パネル２のいずれかに脱着自在に接続されて外部電力を入力する外部電源２０と、この外部電源２０と予備電池５、４５と太陽電池パネル２のいずれかの電力で電池内蔵機器３０、９０を充電する充電回路８、４８とを備える。ソーラー充電器は、太陽電池パネル２を充電台１、４０、１０１、１４０から開いて発電する状態で、充電台１、４０、１０１、１４０に載せられる電池内蔵機器３０、９０に内蔵される電池を充電する。
【０００８】
以上のソーラー充電器は、太陽光線が直接に照射される場所に置いて、太陽の仰角に関係なく、四季を通じて太陽電池を太陽に向けて効率よく太陽光線で発電でき、さらに、太陽電池のみでなく外部電源からも予備電池と電池内蔵機器を充電して、太陽電池の出力が十分でない状態においても電池内蔵機器を速やかに充電できる特徴がある。太陽光線で効率よく発電できるのは、太陽電池パネルを蝶番を介して充電台に連結しているからである。また、太陽電池のみでなく外部電源も電源として接続しているので、太陽電池の出力が十分でないときは、外部電源でもって電池内蔵機器を充電できる。また、以上のソーラー充電器は、太陽電池パネルを大きな面積として、電池内蔵機器を速やかに充電できる構造としながら、薄く折り畳んで便利に持ち運びできる特徴がある。
【０００９】
とくに、以上のソーラー充電器は、太陽電池に直接に太陽光線を当てる位置にセットして、太陽電池の発電出力を大きくながら、電池内蔵機器を太陽光線で照射することなく電池内蔵機器の電池を充電できる。それは、充電台に電池内蔵機器を載せて、太陽電池パネルで電池内蔵機器に直接に太陽光線が照射されるのを防止できるからである。すなわち、充電台に折り畳みできるように連結している太陽電池パネルを開いて、太陽光線に直接に照射されるようにすると、太陽電池パネルによって充電台の上に太陽光線に照射されない陰の領域ができる。この領域に電池内蔵機器をセットすることで、太陽電池パネルには太陽光線を照射しながら、電池内蔵機器には太陽光線が照射しない状態を実現できる。すなわち、太陽電池パネルは、それ自体が太陽光線を受けて発電し、また、充電台の上にセットされる電池内蔵機器に直接に太陽光線が照射されるのを阻止する遮蔽プレートとして作用する。このため、以上のソーラー充電器は、太陽電池に直接に太陽光線が照射するようにしながら、電池内蔵機器を充電台の太陽電池パネルによって陰となる領域にセットし、内蔵する電池を充電できる。この状態は、太陽電池の発電出力を大きくして、電池内蔵機器を効率よく速やかに充電しながら、電池内蔵機器の熱による弊害を防止できる。電池は、充電される状態で温度が高くなると、熱による弊害、たとえば劣化しやすくなり、あるいは安全性を阻害する原因となる。以上のソーラー充電器は、太陽光線に照射されて電池の温度が上昇するのを太陽電池パネルで阻止しながら、太陽電池には直接に太陽光線を照射して発電出力を大きくして、電池内蔵機器の電池を、温度上昇を防止しながら速やかに充電できる特徴を実現する。とくに、以上のソーラー充電器は、太陽電池パネルを大きくして発電出力を大きくするほど、すなわち電池内蔵機器の電池の充電電流を大きくして電池の発熱が大きくなるほど、充電台にできる太陽光線の照射されない陰の領域も大きくして、電池内蔵機器を確実に陰の領域に配置して温度上昇を少なくできる。このため、太陽電池パネルを大きくして、電池内蔵機器を速やかに充電しながら、太陽光線による加熱を阻止して、電池の劣化を少なくしながら安全に充電できる特徴が実現できる。しかも、以上のソーラー充電器は、使用状態においては、以上の理想的な状態を実現し、使用しない状態にあっては、大きな太陽電池パネルをも薄く折り畳みして便利に持ち運びできる。
【００１０】
本発明のソーラー充電器は、充電台４０、１０１に脱着自在に連結される、充電できる電池５７、１７、２７を内蔵するサブの予備電池５５、１５、２５を備えて、このサブの予備電池５５、１５、２５を、バッテリコネクタ５８、１８、２８を介して充電台４０、１０１に接続することができる。
以上のソーラー充電器は、サブの予備電池でもって予備電池の充電容量を大きくして、太陽電池パネルの発電電力を有効に蓄えることができる。
【００１１】
さらに、本発明のソーラー充電器は、サブの予備電池５５を、充電台４０の下に積層して連結することができる。さらにまた、本発明のソーラー充電器は、サブの予備電池５５と充電台４０とを同じ外形でほぼ同じ大きさとすることができる。
本明細書において、サブの予備電池と充電台とがほぼ同じ大きさとは、サブの予備電池と充電台の面積の差が３０％以内を意味するものとする。
以上のソーラー充電器は、充電台の外形を大きくすることなくサブの予備電池を大きく、すなわち充電容量を大きくできる。
【００１２】
本発明のソーラー充電器は、充電台４０、１４０又は太陽電池パネル２のいずれかにリード線４６を介して脱着自在に接続されるサブの太陽電池パネル５０を備えて、このサブの太陽電池パネル５０を充電回路４８に接続して、予備電池４５と電池内蔵機器３０、９０の電池のいずれか又は両方を充電することができる。
以上のソーラー充電器は、太陽電池パネルに加えて、サブの太陽電池パネルによっても発電して、電池内蔵機器をより速やかに充電し、あるいは予備電池を充電できる。
【００１３】
本発明のソーラー充電器は、サブの太陽電池パネル５０に吸盤５３を設けることができる。
以上のソーラー充電器は、サブの太陽電池パネルを窓ガラスなどに吸着して太陽光線で効率よく照射される位置に配置でき、また、太陽電池パネルは、太陽光線に直接に照射される角度にセットできる。この状態で使用されるソーラー充電器は、発電電力を大きくして、電池内蔵機器や予備電池を速やかに充電できる。
【００１４】
本発明のソーラー充電器は、充電台４０、１４０が、磁気誘導作用で電池内蔵機器９０に交流電力を供給する電源コイル６１と、この電源コイル６１に高周波電力を供給する交流電源６２とを内蔵することができる。
以上のソーラー充電器は、電池内蔵機器にリード線やコネクタを接続することなく、これを充電台の上に載せて、効率よく充電できる。
【００１５】
さらに、本発明のソーラー充電器は、充電台４０、１４０が、電源コイル６１と交流電源６２を内蔵するワイヤレス充電プレート４２、１４２を備え、このワイヤレス充電プレート４２、１４２を充電台１の本体部４１、１４１の上に配置することができる。
以上のソーラー充電器は、無接点で充電する必要があるときに、ワイヤレス充電プレートを載せて電池内蔵機器を便利に充電できる。
【００１６】
本発明のソーラー充電器は、充電台４０が、磁気誘導作用で電池内蔵機器９０に交流電力を供給する電源コイル６１と、この電源コイル６１に高周波電力を供給する交流電源６２と、上に載せられる電池内蔵機器９０の位置に電源コイル６１を移動させる移動機構６３とを内蔵することができる。
以上のソーラー充電器は、電池内蔵機器にリード線やコネクタを接続することなく、これを充電台の上に載せて、効率よく充電できる。とくに、このソーラー充電器は、太陽電池パネルの陰になる領域に電池内蔵機器をセットすると、電源コイルが電池内蔵機器に接近する位置に移動して効率よく充電できる。このため、電池内蔵機器を無接点で充電台の最適位置に載せて、効率よく充電できる。
【００１７】
本発明のソーラー充電器は、充電台４０が、電源コイル６１と交流電源６２と移動機構６３を内蔵するワイヤレス充電プレート４２を備え、このワイヤレス充電プレート４２を充電台１の本体部４１の上に脱着できるように積層することができる。
以上のソーラー充電器は、無接点で充電する必要があるときに、ワイヤレス充電プレートを載せて電池内蔵機器を便利に充電できる。
【００１８】
本発明のソーラー充電器は、太陽電池パネル２の裏面に設けてなる表示パネル９を備え、この表示パネル９で太陽電池４と外部電源２０による予備電池５、４５と電池内蔵機器３０、９０の充電状態を表示することができる。
【００１９】
以上のソーラー充電器は、太陽電池と外部電源からの出力で予備電池と電池内蔵機器を充電する状態を表示パネルに表示するので、この表示パネルで太陽電池による電池内蔵機器や予備電池の充電状態を確認して、ユーザーは便利に使用できる特徴がある。さらにまた、以上のソーラー充電器は、太陽電池パネルの背面に表示パネルを配置する。太陽電池パネルは、出力が面積に比例することから広い面積となる。この広い面積の太陽電池パネルの裏面を有効に利用して表示パネルを設けることから、太陽電池パネルの背面にできる広い面積を有効に利用して、太陽電池と外部電源による予備電池と電池内蔵機器の充電状態を表示できる。また、使用状態で太陽電池パネルは開かれるので、ここに配置される表示パネルは見やすい位置となる。したがって、太陽電池パネルの裏面に設けている表示パネルでもって、ユーザーは太陽電池や外部電源や予備電池による電池内蔵機器の充電状態を確認しながら便利に使用できる特徴がある。
【００２０】
本発明のソーラー充電器は、表示パネル９に、太陽電池４と予備電池５、４５と外部電源２０と電池内蔵機器３０、９０とを表示すると共に、太陽電池４から予備電池５、４５と電池内蔵機器３０、９０への充電経路と、外部電源２０から予備電池５、４５と電池内蔵機器３０、９０への充電経路を表示することができる。
このソーラー充電器は、太陽電池と予備電池と外部電源からの電池内蔵機器の充電状態を明確に表示でき、また、外部電源が電池内蔵機器や予備電池を充電する状態を明確に表示できる。
【００２１】
本発明のソーラー充電器は、充電台１、４０、１０１、１４０に、電池内蔵機器３０に接続する充電コネクタ１１を設けることができる。
このソーラー充電器は、充電コネクタに電池内蔵機器を接続することで、確実に安定して電池内蔵機器を充電できる。
【００２２】
本発明のソーラー充電器は、充電台１、４０、１０１、１４０に、電池内蔵機器３０に接続するＵＳＢコネクタ１２を設けることができる。
このソーラー充電器は、ＵＳＢコネクタを備える種々の電池内蔵機器を充電して便利に使用できる。
【００２３】
本発明のソーラー充電器は、充電台１、４０、１０１、１４０と太陽電池パネル２との連結部に外部電源２０を接続する電源コネクタ１０を設けることができる。
【００２４】
本発明のソーラー充電器は、充電台１と太陽電池パネル２の外形を四角形として、充電台１の長さ（Ｌ１）と太陽電池パネル２の長さ（Ｌ２）を等しく、充電台１の幅（Ｗ１）を太陽電池パネル２の幅（Ｗ２）よりも広くすることができる。さらに、充電台１の上面には、太陽電池パネル２を積層する凹部６を設けて、この凹部６の外側であって、太陽電池パネル２を連結している蝶番３の反対側の側縁に沿って凸部７を設けて、この凸部７の内部に予備電池５を配置することができる。
このソーラー充電器は、充電台を薄くしながら大容量の予備電池を収納できる。このため、折り畳み状態で全体を薄くして便利に持ち運びでき、また、太陽電池パネルを大きくして、太陽光線による出力を大きくして、電池内蔵機器や予備電池を速やかに充電できる。
【００２５】
本発明のソーラー充電器は、予備電池５、４５の放電状態において、予備電池５、４５の残容量が所定容量まで低下し、あるいは、予備電池５、４５の電圧が所定電圧まで低下すると、充電回路８、４８が、外部電源２０から予備電池５、４５を充電すると共に、外部電源２０の電力を外部へ放電するフローティングモードとすることができる。
このソーラー充電器は、予備電池の残容量が少なくなると、充電回路が外部電源からの電力で予備電池を充電すると共に、外部電源の電力を外部に放電できる状態とするので、予備電池の過放電を有効に防止しながら、電池内蔵機器に内蔵される電池を確実に充電できる。
【発明を実施するための最良の形態】
【００２６】
以下、本発明の実施例を図面に基づいて説明する。ただし、以下に示す実施例は、本発明の技術思想を具体化するためのソーラー充電器を例示するものであって、本発明はソーラー充電器を以下のものに特定しない。
【００２７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２８】
図３ないし図５に示すソーラー充電器は、充電できる電池を内蔵している電池内蔵機器３０を上に載せて充電する充電台１と、この充電台１に蝶番３を介して連結している太陽電池パネル２とを備える。
【００２９】
太陽電池パネル２は、充電台１の側縁に蝶番３を介して傾動できるように連結している。この太陽電池パネル２は、折り畳み状態で表面に位置する表面側に太陽電池４を固定している。太陽電池パネル２は、図３に示すように、使用しない状態では充電台１に積層するように折り畳まれる。使用するときは、図４と図５に示すように、充電台１から垂直方向に起こして、表面の太陽電池４を太陽に向ける姿勢とする。太陽電池パネル２は、好ましくは、太陽電池４の出力が最大となるように、すなわち、太陽光線の入射角が直角となるように充電台１に対する角度（α）を調整する。したがって、蝶番３には、好ましくは、開度を自由に調整できる構造、すなわち太陽電池パネル２を垂直方向に起こした状態で任意の位置で停止できる構造であって、この停止位置に太陽電池パネル２を傾斜姿勢で保持できる構造のものを使用する。このソーラー充電器は、太陽の仰角に関係なく、太陽電池パネル２の傾斜角を最適な角度に調整しながら固定して、太陽電池４を太陽に向けて効率よく太陽光線で発電できる。ただ、蝶番には、複数の位置で停止できる節度のある構造のものも使用できる。この蝶番は、太陽電池の出力が最も大きくなる位置の近傍で太陽電池パネルを停止させて傾斜姿勢に保持する。
【００３０】
充電台１は、太陽電池パネル２の出力で充電される予備電池５を内蔵している。図の充電台１と太陽電池パネル２は、外形を四角形として、充電台１の長さ（Ｌ１）と太陽電池パネル２の長さ（Ｌ２）を等しくしている。また、充電台１の幅（Ｗ１）は、太陽電池パネル２の幅（Ｗ２）よりも広くして、充電台１の上面には、太陽電池パネル２を積層する凹部６を設けている。充電台１は、凹部６の外側であって、太陽電池パネル２を連結している蝶番３の反対側の側縁に沿って凸部７を設けている。この凸部７は、太陽電池パネル２の積層部よりも厚くなるので、ここに予備電池５を配置している。この充電台１は、太陽電池パネル２の積層部を薄くして、凸部７の内部に大容量の電池、例えば円筒形電池を収納できる。
【００３１】
予備電池５は、太陽電池４の出力のみでなく、外部電源２０によっても充電される。したがって、充電台１と太陽電池パネル２のいずれかに外部電源２０を脱着自在に接続している。図のソーラー充電器は、充電台１と太陽電池パネル２の連結部の側部に外部電源２０の電源プラグ２１を連結する電源コネクタ１０を設けている。この電源コネクタ１０には、ＡＣアダプタ等の外部電源２０の電源プラグ２１が挿入される。ＡＣアダプタ等の外部電源２０は、充電台１に内蔵している充電回路８に電力を供給する。充電回路８は、制御回路、電源回路としても機能している。
【００３２】
充電回路８は、図６に示すように、太陽電池パネル２と外部電源２０と予備電池５のいずれかの電力で電池内蔵機器３０を充電し、また、太陽電池パネル２と外部電源２０のいずれかで予備電池５を充電する。この充電回路８は、太陽電池パネル２の出力が設定値よりも大きい状態では、予備電池５を充電することなく電池内蔵機器３０を充電する。電池内蔵機器３０の電池が満充電されると充電を停止して、予備電池５の充電を開始し、予備電池５が満充電されると充電を停止する。充電回路８は、太陽電池パネル２の出力が設定値よりも小さい状態では、予備電池５で電池内蔵機器３０を充電する。この状態において、予備電池５と太陽電池パネル２の出力の両方で電池内蔵機器３０を充電することができる。充電回路８は、予備電池５の残容量を検出している。充電回路８は、充放電の電流を積層して残容量を演算し、あるいは電池電圧から残容量を判定する。充電回路８は、予備電池５の残容量が設定値よりも大きい状態で、予備電池５でもって電池内蔵機器３０を充電する。予備電池５で電池内蔵機器３０を充電するために、充電回路８は予備電池５の電圧を電池内蔵機器３０の充電に最適な電圧と電流に変換するためのＤＣ／ＤＣコンバータ（図示せず）を内蔵している。さらに、充電回路８は、外部電源２０と太陽電池パネル２の出力をコントロールするＤＣ／ＤＣコンバータ（図示せず）も内蔵している。予備電池５は、リチウムイオン電池又はニッケル水素電池であるから、ＤＣ／ＤＣコンバータは、リチウムイオン電池の予備電池を定電圧・定電流充電して満充電し、ニッケル水素電池の予備電池を定電流充電して満充電する。
【００３３】
充電台１は、電池内蔵機器３０を接続して、これに内蔵される電池を充電するために、電池内蔵機器３０を接続する充電コネクタ１１を設けている。図の充電台１は、側面に充電コネクタ１１を設けている。この充電コネクタ１１には、電池内蔵機器３０を接続する接続コード３１の接続プラグ３２が挿入される。このソーラー充電器は、充電コネクタ１１に電池内蔵機器３０を接続して、確実に安定して電池内蔵機器３０に内蔵される電池を充電できる。
【００３４】
さらに、充電台１は、電池内蔵機器３０に接続するＵＳＢコネクタ１２も備えている。図の充電台１は、側面にＵＳＢコネクタ１２を設けている。このＵＳＢコネクタ１２には、電池内蔵機器３０を接続するＵＳＢコード３３の接続端子３４が挿入される。このソーラー充電器は、ＵＳＢコネクタを備える種々の電池内蔵機器３０を、ＵＳＢコード３３を介して接続して、これらの電池内蔵機器３０に内蔵される電池を充電できる。
【００３５】
太陽電池パネル２は、蝶番３を介して積層状態に折り畳みできるように充電台１に連結している。さらに、太陽電池パネル２は、折り畳み状態で表面に位置する表面側に太陽電池４を固定して、裏面に表示パネル９を設けている。表示パネル９は、太陽電池パネル２を充電台１に積層状態で折り畳みできるように、その裏面から突出しないように設けられる。
【００３６】
表示パネル９は、図７に示すように、太陽電池４と外部電源２０の電力で、予備電池５と電池内蔵機器３０を充電する状態を表示する。電力は、太陽電池４と外部電源２０から入力される。入力される電力は、電池内蔵機器３０と予備電池５に供給される。図７の表示パネル９は、太陽電池４と、外部電源２０と、予備電池５と、電池内蔵機器３０をブロックで示しており、太陽電池４から出力される電力が電池内蔵機器３０と予備電池５とに供給される経路と、外部電源２０から入力される電力が予備電池５と電池内蔵機器３０に供給される経路と、予備電池５の出力が電池内蔵機器３０に供給される経路をＬＥＤ１３を配列して表示している。図の表示パネル９は、各々の経路に複数のＬＥＤ１３を配置している。電力が供給される経路にある複数のＬＥＤ１３は、電力の供給方向に順番に点滅して電力の供給状態を表示する。電力が供給されない経路のＬＥＤ１３は消灯して、電力が供給されないことを表示する。この表示パネル９は、ＬＥＤ１３の点滅する方向で電力を供給する方向をわかりやすく表示できる。
【００３７】
充電回路８は、太陽電池４の出力が設定電力よりも大きい状態にあっては、太陽電池パネル２の出力で電池内蔵機器３０の電池を充電するので、この状態にあっては、表示パネル９は太陽電池４と電池内蔵機器３０との経路に配置している複数のＬＥＤ１３を、太陽電池４から電池内蔵機器３０に向かって順番に点滅して太陽電池４の電力が電池内蔵機器３０に供給される状態を表示する。また、太陽電池４と予備電池５の両方で電池内蔵機器３０を充電する状態にあっては、太陽電池４と電池内蔵機器３０を接続している経路と、予備電池５と電池内蔵機器３０を接続する経路にあるＬＥＤ１３を、電池内蔵機器３０に向かって点滅して、太陽電池４と予備電池５から電池内蔵機器３０に電力を供給して充電する状態を表示する。さらに、外部電源２０から電池内蔵機器３０を充電する状態にあっては、外部電源２０と電池内蔵機器３０の経路にあるＬＥＤ１３を、電池内蔵機器３０に向かって点滅して、電池内蔵機器３０が外部電源２０で充電される状態を表示する。また、予備電池５で電池内蔵機器３０を充電する状態にあっては、予備電池５と電池内蔵機器３０を接続する経路にあるＬＥＤ１３を、電池内蔵機器３０に向かって点滅して、予備電池５から電池内蔵機器３０に電力を供給して充電する状態を表示する。
なお、充電回路８から出力される電力は、電池内蔵機器３０の電池を充電するだけでなく、電池内蔵機器３０を駆動するのにも利用される。このような場合、本ソーラー充電器は、電池内蔵機器３０だけでなく、電池を内蔵しない電子機器についても、充電回路８を介して駆動することができる。このとき、充電回路８は、制御回路、電源回路として機能することになる。
【００３８】
以上の表示パネル９は、経路に複数のＬＥＤ１３を配置するが、各々の経路にひとつのＬＥＤ１３を設けて電力が供給される状態を表示することもできる。この表示パネルは、電力が供給される経路にあるＬＥＤを点灯し、電力の供給されない経路のＬＥＤを消灯して電力の供給を表示する。さらにまた、表示パネルは、図示しないが、ＬＥＤによらず液晶パネルで電力の供給状態を表示することもできる。
【００３９】
なお、外部電源２０により、予備電池５を充電する場合、以下のようにして、太陽電池パネル２からの電力を利用することもできる。
一旦、外部電源２０により、予備電池５の所定容量（例えば、７０％）又は所定容量に対応した所定電圧まで、充電を行い、残り容量は、太陽光を利用して、太陽電池パネル２からの出力で、予備電池５を充電する。そして、この充電経路にあるＬＥＤ１３を点滅して、充電経路の状態を表示することができる。このような所定容量は、ユーザーが、別途、０〜８０％の範囲で設定できるようにしても良い。
また、予備電池５の放電中において、予備電池５の残容量が所定容量（例えば、１５％）まで低下し、又は予備電池５の電圧が所定容量に対応した所定電圧まで低下したときは、外部電源２０が接続されているとき、外部電源２０から、予備電池５を充電すると共に、外部へ放電するフローティングモードとすることができる。そして、この充電経路にあるＬＥＤ１３を点滅して、充電経路の状態を表示することができる。さらに、外部電源２０から電池内蔵機器３０を充電する状態にあっては、外部電源２０と電池内蔵機器３０の経路にあるＬＥＤ１３を、電池内蔵機器３０に向かって点滅して、電池内蔵機器３０が外部電源２０で充電される状態を表示する。
【００４０】
さらに、図８ないし図１２は、他の実施例のソーラー充電器を示している。このソーラー充電器は、充電台４０又は太陽電池パネル２のいずれかにリード線５１を介して脱着自在に接続されるサブの太陽電池パネル５０を備えている。サブの太陽電池パネル５０は、図１２に示すように、充電回路４８に接続されて、予備電池４５と電池内蔵機器３０、９０の電池のいずれか又は両方を充電する。図８のソーラー充電器は、充電台４０と太陽電池パネル２の連結部の側部にサブの太陽電池パネル５０の入力プラグ５２を連結する入力コネクタ４３を設けている。この入力コネクタ４３にサブの太陽電池パネル５０に接続されるリード線５１の入力プラグ５２が挿入されて、充電台４０に内蔵している充電回路４８にサブの太陽電池パネル５０から電力が供給される。したがって、このソーラー充電器は、太陽電池パネル２に加えて、サブの太陽電池パネル５０によっても発電して、電池内蔵機器９０や予備電池４５を、より速やかに充電できる。
【００４１】
このサブの太陽電池パネル５０は、太陽光線が照射される窓ガラス９９に配置して効率よく発電する。図のサブの太陽電池パネル５０は、吸盤５３を備えており、この吸盤５３を窓ガラス９９に吸着させて、窓ガラス９９に固定される。このサブの太陽電池パネル５０は、窓ガラス９９と対向する表面側に太陽電池５４と吸盤５３を設けている。吸盤５３を備えるサブの太陽電池パネル５０は、使用するときには、図に示すように、表面側の太陽電池５４を太陽に向ける姿勢として、吸盤５３を介して窓ガラス９９に固定し、使用しない状態で窓ガラス９９から外される。図に示すサブの太陽電池パネル５０は、表面側の両側の上端部に吸盤５３を設けている。このサブの太陽電池パネル５０は、２個の吸盤５３で窓ガラス９９に脱着自在に連結される。ただ、サブの太陽電池パネルは、四隅に吸盤を設けることも、三方に吸盤を設けることもできる。多数の吸盤を備えるサブの太陽電池パネルは、より安定して、外れないように窓ガラスに固定できる。このように、吸盤５３を介して窓ガラス９９に固定されるサブの太陽電池パネル５０を、窓際のスペースを有効に活用しながら省スペースに配置できる。ただ、サブの太陽電池パネルは、必ずしも吸盤で吸着して窓ガラスに固定する必要はなく、スタンド等を介して起立姿勢で窓際に配置することもできる。
【００４２】
サブの太陽電池パネル５０は、好ましくは、太陽電池５４の出力が最大となるように、面積を広くする。面積の広いサブの太陽電池パネル５０は、太陽電池５４による発電量を大きくできると共に、窓際にできる陰の範囲を広くして、この陰に電池内蔵機器３０を配置しながら理想的に充電できる。
【００４３】
さらに、図のソーラー充電器は、充電台４０の下に、サブの予備電池５５を備えている。このサブの予備電池５５は、充電できる電池５７をケーシング５６に内蔵している。サブの予備電池５５は、図１１に示すように、ケーシング５６に内蔵する電池５７を、角形電池または薄型電池として、全体を薄くしながら容量を大きくしている。図のサブの予備電池５５は、全体を薄く成形すると共に、充電台４０の下面に積層して脱着自在に連結している。充電台４０に積層されるサブの予備電池５５は、ケーシング５６の外形を充電台４０と同じ外形であって、ほぼ同じ大きさとしている。これにより、充電台４０の外形を大きくすることなく、サブの予備電池５５を大きくして、充電容量を大きくできる。また、外形と大きさがほぼ等しい充電台４０とサブの予備電池５５は、積層した状態で外観をよくできる特徴もある。
【００４４】
充電台４０の下面に積層されるサブの予備電池５５は、バッテリコネクタ５８を介して充電台４０に接続している。この連結構造は、簡単かつ容易に、サブの予備電池５５を充電台４０に脱着自在に接続できる。サブの予備電池５５を脱着自在に連結できるソーラー充電器は、その用途に応じてサブの予備電池５５を装着して、サブの予備電池５５に内蔵される電池５７によって、予備電池全体の充電容量を大きくできる。したがって、太陽電池パネル２やサブの太陽電池パネル５０の発電電力を有効に蓄えることができる。さらに、図のサブの予備電池５５は、ケーシング５６と充電台４０とを連結部５９を介して位置決めしながら連結している。図の連結部５９は、ケーシング５６の上面に設けた嵌着凸部５９Ａと、充電台４０の下面に設けた嵌着凹部５９Ｂからなる。サブの予備電池５５は、嵌着凸部５９Ａを嵌着凹部５９Ｂに嵌入して、積層状態で位置ずれしないように連結される。
【００４５】
充電台４０に接続されるサブの予備電池５５は、図１２に示すように、充電台４０に内蔵される充電回路４８に接続される。サブの予備電池５５に内蔵される電池は、太陽電池パネル２やサブの太陽電池５０の出力によって充電され、また、外部電源２０によって充電される。さらに、サブの予備電池５５は、内蔵される電池から放電して、電池内蔵機器３０、９０に内蔵される電池を充電する。
【００４６】
図８ないし図１１に示すソーラー充電器は、サブの予備電池５５を充電台４０と同じ外形で、同じ大きさとして、充電台４０の下面に脱着自在に積層している。ただ、ソーラー充電器は、必ずしも充電台の下面に、充電台と同じ大きさのサブの予備電池を積層する必要はなく、図１３に示すように、充電台１０１よりも小さい外形のサブの予備電池１５、２５を、充電台１０１の下面や側面に脱着自在に連結することもできる。
【００４７】
図１３において、充電台１０１の下面に連結するサブの予備電池１５は、充電できる電池１７を内蔵するケーシング１６を細長い形状として充電台１０１よりも小さくして、充電台１０１と太陽電池パネル３の連結部側の下面、すなわち、図において後端部の下面に連結している。このサブの予備電池１５は、ケーシング１６の長さ（Ｌ４）を充電台１０１の長さ（Ｌ１）とほぼ等しく、あるいはやや短くすると共に、ケーシング１６の幅（Ｗ４）を充電台１０１の幅（Ｗ１）よりも小さく、例えば、１／３以下として、ケーシング１６の外形を充電台１０１よりも小さくしている。図のサブの予備電池１５は、バッテリコネクタ１８を介して充電台１０１に接続している。図示しないが、この形状のサブの予備電池は、充電台の後端面に、バッテリコネクタを介して連結することもできる。
【００４８】
また、図において、充電台１０１の側面に連結するサブの予備電池２５は、充電できる電池２７を内蔵するケーシング２６の外形を充電台１０１よりも小さくすると共に、ケーシング２６の厚さを、充電台１０１とほぼ等しく、あるいはやや薄くしている。このサブの予備電池２５は、バッテリコネクタ２８を介して充電台１０１に接続している。さらに、充電台１０１の側面に連結されるサブの予備電池２５は、図の鎖線で示すように、充電台１０１の側面から内部に延長して設けた挿入凹部１０２に、ケーシング２６の全体を挿入し、あるいはケーシング２６を部分的に挿入して、脱着自在に連結することもできる。この連結構造は、サブの予備電池２５を確実に安定して連結できる。
以上のように、外形を充電台１０１よりも小さくするサブの予備電池１５、２５は、持ち運びを便利にしながら、その用途に応じてサブの予備電池１５、２５を装着して、予備電池全体の充電容量を大きくできる。
【００４９】
さらに、図８ないし図１０に示すソーラー充電器は、図１４ないし図１９に示すように、充電台４０が、磁気誘導作用で電池内蔵機器９０に交流電力を供給する電源コイル６１と、この電源コイル６１に高周波電力を供給する交流電源６２と、上に載せられる電池内蔵機器９０の位置に電源コイル６１を移動させる移動機構６３とを内蔵している。図８ないし図１０の充電台４０は、予備電池４５を内蔵している本体部４１と、この本体部４１の上に脱着できるように積層されるワイヤレス充電プレート４２とを備えており、このワイヤレス充電プレート４２に電源コイル６１と交流電源６２と移動機構６３を内蔵している。
【００５０】
本体部４１は、太陽電池パネル２やサブ太陽電池パネル５０の出力で充電される予備電池４５を内蔵している。図８ないし図１０の本体部４１は、外形を四角形として、その上面に、太陽電池パネル２を積層できる構造としている。図のソーラー充電器は、本体部４１の上面と太陽電池パネル２とをほぼ等しい大きさとして、内部に角形電池または薄型電池からなる予備電池４５を収納している。さらに、本体部４１は、充電回路４８を内蔵している。この充電回路４８は、図１２に示すように、太陽電池パネル２、サブの太陽電池パネル５０、外部電源２０、予備電池４５、及びサブの予備電池５５のいずれかの電力で電池内蔵機器３０、９０を充電し、また、太陽電池パネル２、サブの太陽電池パネル５０、及び外部電源２０のいずれかで予備電池４５とサブの予備電池５５を充電する。
【００５１】
ワイヤレス充電プレート４２は、図１４と図１５に示すように、上に電池内蔵機器９０を載せて、電池内蔵機器９０に内蔵される電池９２を磁気誘導作用で充電する。したがって、このワイヤレス充電プレート４２で充電される電池内蔵機器９０は、ワイヤレス充電プレート４２に内蔵される電源コイル６１に電磁結合される誘導コイル９１と、この誘導コイル９１に誘導される電力で充電される電池９２を内蔵している。
【００５２】
図１５は電池内蔵機器９０の回路図を示す。この電池内蔵機器９０は、誘導コイル９１と並列にコンデンサー９３を接続している。コンデンサー９３と誘導コイル９１は並列共振回路９４を構成する。コンデンサー９３と誘導コイル９１の共振周波数は、電源コイル６１から電力搬送される周波数に近似する周波数として、電源コイル６１から効率よく誘導コイル９１に電力搬送できる。図１５の電池内蔵機器９０は、誘導コイル９１から出力される交流を整流するダイオード９５と、整流された脈流を平滑化する平滑コンデンサー９６とからなる整流回路９７と、この整流回路９７から出力される直流で電池９２を充電する充電制御回路９８とを備える。充電制御回路９８は、電池９２の満充電を検出して充電を停止する。
【００５３】
ワイヤレス充電プレート４２は、図１４、及び図１６ないし図１８に示すように、交流電源６２に接続されて誘導コイル９１に起電力を誘導する電源コイル６１と、この電源コイル６１を内蔵すると共に、上面には電池内蔵機器９０を載せる上面プレート７１を有するケース７０と、このケース７０に内蔵されて、電源コイル６１を上面プレート７１の内面に沿って移動させる移動機構６３と、上面プレート７１に載せられる電池内蔵機器９０の位置を検出して、移動機構６３を制御して電源コイル６１を電池内蔵機器９０の誘導コイル９１に接近させる位置検出制御器６４とを備える。充電台４０は、電源コイル６１と、交流電源６２と、移動機構６３と、位置検出制御器６４とをケース７０に内蔵している。
【００５４】
ワイヤレス充電プレート４２は、リード線４６を介して本体部４１に接続されて、本体部４１から電力が供給される。本体部４１は、ワイヤレス充電プレート４２に電力を供給するための出力コネクタ４４を設けている。この出力コネクタ４４にリード線４６の接続プラグ４７が挿入されて、ワイヤレス充電プレート４２は本体部４１に接続される。
【００５５】
ケース７０は、電池内蔵機器９０を載せる平面状の上面プレート７１を上面に設けている。図のワイヤレス充電プレート４２は、上面プレート７１全体を平面状として水平に配設している。上面プレート７１は、大きさや外形が異なる種々の電池内蔵機器９０を上に載せることができる大きさであって、本体部４１の上に積層できるように、本体部４１とほぼ等しい外形としている。図の本体部４１は、外形を四角形としているので、ワイヤレス充電プレート４２は、上面プレート７１の長さ（Ｌ３）を本体部４１の長さ（Ｌ１）と等しくし、上面プレート７１の幅（Ｗ３）を本体部４１の幅（Ｗ１）よりもやや小さくしている。
【００５６】
さらに、図のワイヤレス充電プレート４２は、本体部４１の上面に脱着自在に積層できるようにしている。図のワイヤレス充電プレート４２は、位置決め連結部４９を介して、本体部４１に位置決めしながら連結している。図の位置決め連結部４９は、本体部４１の上面に、ワイヤレス充電プレート４２を位置決めしながらセットする位置決め凸部４９Ａを設けており、ワイヤレス充電プレート４２は、この位置決め凸部４９Ａを嵌入する位置決め凹部４９Ｂを設けている。ワイヤレス充電プレート４２は、本体部４１の位置決め凸部４９Ａに位置決め凹部４９Ｂを嵌入する状態で積層されて、本体部４１の上面の定位置に積層される。
【００５７】
以上のワイヤレス充電プレート４２は、図９と図１０に示すように、本体部４１の上面に積層する状態で、あるいは本体部４１の上面に積層しない状態で、上面プレート７１の上に電池内蔵機器９０を載せて、電池内蔵機器９０に内蔵される電池を充電する。図１０に示すように、ワイヤレス充電プレート４２を本体部４１の上面に積層する状態では、太陽電池パネル２の太陽電池４に直接に太陽光線が照射するようにしながら、ワイヤレス充電プレート４２の上面であって太陽電池パネル２によって陰となる領域に電池内蔵機器９０をセットして、電池内蔵機器９０に内蔵する電池を充電できる。この状態は、太陽電池パネル２の発電出力を大きくして、電池内蔵機器９０を効率よく速やかに充電しながら、電池内蔵機器９０の熱による弊害を防止できる。また、図９に示すように、ワイヤレス充電プレート４２を本体部４１の上面に積層しない状態では、たとえば、ワイヤレス充電プレート４２をサブの太陽電池パネル５０によって陰となる領域に配置して、上面にセットされる電池内蔵機器９０に内蔵する電池を充電できる。
【００５８】
電源コイル６１は、ケース７０の上面プレート７１の下に配設されて、上面プレート７１に沿って移動するように配設される。電源コイル６１は、上面プレート７１の上に載せられる電池内蔵機器９０の誘導コイル９１に接近するように移動するので、上面プレート７１の下面に沿って移動できるように配設される。電源コイル６１は、上面プレート７１と平行な面で渦巻き状に巻かれて、上面プレート７１の上方に交流磁束を放射する。この電源コイル６１は、上面プレート７１に直交する交流磁束を上面プレート７１の上方に放射する。電源コイル６１は、交流電源６２から交流電力が供給されて、上面プレート７１の上方に交流磁束を放射する。電源コイル６１は、誘導コイル９１の外径にほぼ等しくして、誘導コイル９１に効率よく電力搬送する。
【００５９】
交流電源６２は、本体部４１から電力が供給されて、高周波電力を電源コイル６１に供給する。交流電源６２は、可撓性のリード線６６を介して電源コイル６１に接続される。交流電源６２は、図示しないが、自励式の発振回路と、この発振回路から出力される交流を電力増幅するパワーアンプとを備える。自励式の発振回路は、電源コイル６１を発振コイルに併用している。したがって、この発振回路は、電源コイル６１のインダクタンスで発振周波数が変化する。電源コイル６１のインダクタンスは、電源コイル６１と誘導コイル９１との相対位置で変化する。電源コイル６１と誘導コイル９１との相互インダクタンスが、電源コイル６１と誘導コイル９１との相対位置で変化するからである。したがって、電源コイル６１を発振コイルに使用する自励式の発振回路は、交流電源６２が誘導コイル９１に接近するにしたがって変化する。このため、自励式の発振回路は、発振周波数の変化で電源コイル６１と誘導コイル９１との相対位置を検出することができ、位置検出制御器６４に併用できる。
【００６０】
電源コイル６１は、移動機構６３で誘導コイル９１に接近するように移動される。図１２、及び図１６ないし図１８の移動機構６３は、電源コイル６１を、上面プレート７１に沿って、Ｘ軸方向とＹ軸方向に移動させて誘導コイル９１に接近させる。図の移動機構６３は、位置検出制御器６４で制御されるサーボモータ７２でネジ棒７３を回転して、ネジ棒７３にねじ込んでいるナット材７４を移動して、電源コイル６１を誘導コイル９１に接近させる。サーボモータ７２は、電源コイル６１をＸ軸方向に移動させるＸ軸サーボモータ７２Ａと、Ｙ軸方向に移動させるＹ軸サーボモータ７２Ｂとを備える。ネジ棒７３は、電源コイル６１をＸ軸方向に移動させる一対のＸ軸ネジ棒７３Ａと、電源コイル６１をＹ軸方向に移動させるＹ軸ネジ棒７３Ｂとを備える。一対のＸ軸ネジ棒７３Ａは、互いに平行に配設されて、ベルト７５に駆動されてＸ軸サーボモータ７２Ａで一緒に回転される。ナット材７４は、各々のＸ軸ネジ棒７３Ａにねじ込んでいる一対のＸ軸ナット材７４Ａと、Ｙ軸ネジ棒７３Ｂにねじ込んでいるＹ軸ナット材７４Ｂからなる。Ｙ軸ネジ棒７３Ｂは、その両端を一対のＸ軸ナット材７４Ａに回転できるように連結している。電源コイル６１はＹ軸ナット材７４Ｂに連結している。
【００６１】
さらに、図に示す移動機構６３は、電源コイル６１を水平な姿勢でＹ軸方向に移動させるために、Ｙ軸ネジ棒７３Ｂと平行にガイドロッド７６を配設している。ガイドロッド７６は、両端を一対のＸ軸ナット材７４Ａに連結しており、一対のＸ軸ナット材７４Ａと一緒に移動する。ガイドロッド７６は、電源コイル６１に連結されるガイド部７７を貫通しており、電源コイル６１をガイドロッド７６に沿ってＹ軸方向に移動できるようにしている。すなわち、電源コイル６１は、互いに平行に配設されるＹ軸ネジ棒７３Ｂとガイドロッド７６に沿って移動するＹ軸ナット材７４Ｂとガイド部７７を介して、水平な姿勢でＹ軸方向に移動する。
【００６２】
この移動機構６３は、Ｘ軸サーボモータ７２ＡがＸ軸ネジ棒７３Ａを回転させると、一対のＸ軸ナット材７４ＡがＸ軸ネジ棒７３Ａに沿って移動して、Ｙ軸ネジ棒７３Ｂとガイドロッド７６をＸ軸方向に移動させる。Ｙ軸サーボモータ７２ＢがＹ軸ネジ棒７３Ｂを回転させると、Ｙ軸ナット材７４ＢがＹ軸ネジ棒７３Ｂに沿って移動して、電源コイル６１をＹ軸方向に移動させる。このとき、電源コイル６１に連結されたガイド部７７は、ガイドロッド７６に沿って移動して、電源コイル６１を水平な姿勢でＹ軸方向に移動させる。したがって、Ｘ軸サーボモータ７２ＡとＹ軸サーボモータ７２Ｂの回転を位置検出制御器６４で制御して、電源コイル６１をＸ軸方向とＹ軸方向に移動できる。ただし、充電台４０は、移動機構６３を以上のメカニズムには特定しない。移動機構６３には、電源コイル６１をＸ軸方向とＹ軸方向に移動できる全ての機構を利用できるからである。ただ、移動機構は、電源コイルをＸ軸方向とＹ軸方向に移動させる機構に特定しない。
【００６３】
位置検出制御器６４は、上面プレート７１に載せられた電池内蔵機器９０の位置を検出する。図１５、図１６、及び図１９の位置検出制御器６４は、電池内蔵機器９０に内蔵される誘導コイル９１の位置を検出して、電源コイル６１を誘導コイル９１に接近させる。さらに、位置検出制御器６４は、誘導コイル９１の位置を粗検出する第１の位置検出制御器６４Ａと、誘導コイル９１の位置を精密検出する第２の位置検出制御器６４Ｂとを備える。この位置検出制御器６４は、第１の位置検出制御器６４Ａで誘導コイル９１の位置を粗検出すると共に、移動機構６３を制御して電源コイル６１の位置を誘導コイル９１に接近させた後、さらに、第２の位置検出制御器６４Ｂで誘導コイル９１の位置を精密検出しながら移動機構６３を制御して、電源コイル６１の位置を正確に誘導コイル９１に接近させる。この充電台４０は、速やかに、しかも、より正確に電源コイル６１を誘導コイル９１に接近できる。
【００６４】
第１の位置検出制御器６４Ａは、図１９に示すように、上面プレート７１の内面に固定している複数の位置検出コイル８０と、この位置検出コイル８０にパルス信号を供給するパルス電源８１と、このパルス電源８１から位置検出コイル８０に供給されるパルスに励起されて誘導コイル９１から位置検出コイル８０に出力されるエコー信号を受信する受信回路８２と、この受信回路８２が受信するエコー信号から電源コイル６１の位置を判別する識別回路８３とを備える。
【００６５】
位置検出コイル８０は複数列のコイルからなり、複数の位置検出コイル８０を上面プレート７１の内面に所定の間隔で固定している。位置検出コイル８０は、誘導コイル９１のＸ軸方向の位置を検出する複数のＸ軸検出コイル８０Ａと、Ｙ軸方向の位置を検出する複数のＹ軸検出コイル８０Ｂとを備える。各々のＸ軸検出コイル８０Ａは、Ｙ軸方向に細長いループ状であって、複数のＸ軸検出コイル８０Ａは、所定の間隔で上面プレート７１の内面に固定されている。隣接するＸ軸検出コイル８０Ａの間隔（ｄ）は、誘導コイル９１の外径（Ｄ）よりも小さく、好ましくはＸ軸検出コイル８０Ａの間隔（ｄ）を誘導コイル９１の外径（Ｄ）の１倍ないし１／４倍としている。Ｘ軸検出コイル８０Ａは、間隔（ｄ）を狭くして、誘導コイル９１のＸ軸方向の位置を正確に検出できる。各々のＹ軸検出コイル８０Ｂは、Ｘ軸方向に細長いループ状であって、複数のＹ軸検出コイル８０Ｂは、所定の間隔で上面プレート７１の内面に固定されている。隣接するＹ軸検出コイル８０Ｂの間隔（ｄ）も、Ｘ軸検出コイル８０Ａと同じように、誘導コイル９１の外径（Ｄ）よりも小さく、好ましくはＹ軸検出コイル８０Ｂの間隔（ｄ）を誘導コイル９１の外径（Ｄ）の１倍ないし１／４倍としている。Ｙ軸検出コイル８０Ｂも、その間隔（ｄ）を狭くして、誘導コイル９１のＹ軸方向の位置を正確に検出できる。
【００６６】
パルス電源８１は、所定のタイミングでパルス信号を位置検出コイル８０に出力する。パルス信号が入力される位置検出コイル８０は、パルス信号で接近する誘導コイル９１を励起する。励起された誘導コイル９１は、流れる電流のエネルギーでエコー信号を位置検出コイル８０に出力する。したがって、誘導コイル９１の近くにある位置検出コイル８０は、図２０に示すように、パルス信号が入力された後、所定の時間遅れて、誘導コイル９１からのエコー信号が誘導される。位置検出コイル８０に誘導されるエコー信号は、受信回路８２で識別回路８３に出力される。したがって、識別回路８３は、受信回路８２から入力されるエコー信号でもって、位置検出コイル８０に誘導コイル９１が接近しているかどうかを判定する。複数の位置検出コイル８０にエコー信号が誘導されるとき、識別回路８３は、エコー信号レベルの大きい位置検出コイル８０にもっとも接近していると判定する。
【００６７】
図１９に示す位置検出制御器６４は、各々の位置検出コイル８０を切換回路８４を介して受信回路８２に接続する。この位置検出制御器６４は、入力を順番に切り換えて複数の位置検出コイル８０に接続するので、ひとつの受信回路８２で複数の位置検出コイル８０のエコー信号を検出できる。ただし、各々の位置検出コイルに受信回路を接続してエコー信号を検出することもできる。
【００６８】
図１９の位置検出制御器６４は、識別回路８３で制御される切換回路８４で複数の位置検出コイル８０を順番に切り換えて受信回路８２に接続する。パルス電源８１は切換回路８４の出力側に接続されて、位置検出コイル８０にパルス信号を出力する。パルス電源８１から位置検出コイル８０に出力されるパルス信号のレベルは、誘導コイル９１からのエコー信号に比較して極めて大きい。受信回路８２は、入力側にダイオードからなるリミッター回路８５を接続している。リミッター回路８５は、パルス電源８１から受信回路８２に入力されるパルス信号の信号レベルを制限して受信回路８２に入力する。信号レベルの小さいエコー信号は、制限されることなく受信回路８２に入力される。受信回路８２は、パルス信号とエコー信号の両方を増幅して出力する。受信回路８２から出力されるエコー信号は、パルス信号から所定のタイミング、たとえば数μｓｅｃ〜数百μｓｅｃ遅れた信号となる。エコー信号がパルス信号から遅れる遅延時間は、一定の時間であるから、パルス信号から所定の遅延時間後の信号をエコー信号とし、このエコー信号のレベルから位置検出コイル８０に誘導コイル９１が接近しているかどうかを判定する。
【００６９】
受信回路８２は、位置検出コイル８０から入力されるエコー信号を増幅して出力するアンプである。受信回路８２は、パルス信号とエコー信号を出力する。識別回路８３は、受信回路８２から入力されるパルス信号とエコー信号から位置検出コイル８０に誘導コイル９１が接近してセットされるかどうかを判定する。識別回路８３は、受信回路８２から入力される信号をデジタル信号に変換するＡ／Ｄコンバータ８６を備えている。このＡ／Ｄコンバータ８６から出力されるデジタル信号を演算してエコー信号を検出する。識別回路８３は、パルス信号から特定の遅延時間の後に入力される信号をエコー信号として検出し、さらにエコー信号のレベルから誘導コイル９１が位置検出コイル８０に接近しているかどうかを判定する。
【００７０】
識別回路８３は、複数のＸ軸検出コイル８０Ａを順番に受信回路８２に接続するように切換回路８４を制御して、誘導コイル９１のＸ軸方向の位置を検出する。識別回路８３は、各々のＸ軸検出コイル８０Ａを受信回路８２に接続する毎に、識別回路８３に接続しているＸ軸検出コイル８０Ａにパルス信号を出力し、パルス信号から特定の遅延時間の後に、エコー信号が検出されるかどうかで、このＸ軸検出コイル８０Ａに誘導コイル９１が接近しているかどうかを判定する。識別回路８３は、全てのＸ軸検出コイル８０Ａを受信回路８２に接続して、各々のＸ軸検出コイル８０Ａに誘導コイル９１が接近しているかどうかを判定する。誘導コイル９１がいずれかのＸ軸検出コイル８０Ａに接近していると、このＸ軸検出コイル８０Ａを受信回路８２に接続する状態でエコー信号が検出される。したがって、識別回路８３は、エコー信号を検出できるＸ軸検出コイル８０Ａから誘導コイル９１のＸ軸方向の位置を検出できる。誘導コイル９１が複数のＸ軸検出コイル８０Ａに跨って接近する状態では、複数のＸ軸検出コイル８０Ａからエコー信号が検出される。この状態において、識別回路８３はもっとも強いエコー信号、すなわちレベルの大きいエコー信号が検出されるＸ軸検出コイル８０Ａにもっとも接近していると判定する。識別回路８３は、Ｙ軸検出コイル８０Ｂも同じように制御して、誘導コイル９１のＹ軸方向の位置を検出する。
【００７１】
識別回路８３は、検出するＸ軸方向とＹ軸方向から移動機構６３を制御して、電源コイル６１を誘導コイル９１に接近する位置に移動させる。識別回路８３は、移動機構６３のＸ軸サーボモータ７２Ａを制御して、電源コイル６１を誘導コイル９１のＸ軸方向の位置に移動させる。また、移動機構６３のＹ軸サーボモータ７２Ｂを制御して、電源コイル６１を誘導コイル９１のＹ軸方向の位置に移動させる。
【００７２】
以上のようにして、第１の位置検出制御器６４Ａが電源コイル６１を誘導コイル９１に接近する位置に移動させる。充電台４０は、第１の位置検出制御器６４Ａで電源コイル６１を誘導コイル９１に接近した後、電源コイル６１から誘導コイル９１に電力搬送して電池９２を充電することができる。ただ、充電台４０は、さらに電源コイル６１の位置を正確に制御して誘導コイル９１に接近させた後、電力搬送して電池９２を充電することができる。電源コイル６１は、第２の位置検出制御器６４Ｂでより正確に誘導コイル９１に接近される。
【００７３】
第２の位置検出制御器６４Ｂは、交流電源６２を自励式の発振回路として、自励式の発振回路の発振周波数から電源コイル６１の位置を正確に検出して移動機構６３を制御する。第２の位置検出制御器６４Ｂは、移動機構６３のＸ軸サーボモータ７２ＡとＹ軸サーボモータ７２Ｂを制御して、電源コイル６１をＸ軸方向とＹ軸方向に移動させて、交流電源６２の発振周波数を検出する。自励式の発振回路の発振周波数が変化する特性を図２１に示している。この図は、電源コイル６１と誘導コイル９１の相対的な位置ずれに対する発振周波数の変化を示している。この図に示すように、自励式の発振回路の発振周波数は、電源コイル６１が誘導コイル９１に最も接近する位置でもっとも高くなり、相対位置がずれるにしたがって発振周波数が低くなる。したがって、第２の位置検出制御器６４Ｂは、移動機構６３のＸ軸サーボモータ７２Ａを制御して電源コイル６１をＸ軸方向に移動し、発振周波数が最も高くなる位置で停止する。また、Ｙ軸サーボモータ７２Ｂも同じように制御して電源コイル６１をＹ軸方向に移動して、発振周波数が最も高くなる位置で停止する。第２の位置検出制御器６４Ｂは、以上のようにして、電源コイル６１を誘導コイル９１に最も接近する位置に移動できる。
【００７４】
ワイヤレス充電プレート４２は、位置検出制御器６４で移動機構６３を制御して電源コイル６１を誘導コイル９１に接近させた状態で、交流電源６２で電源コイル６１に交流電力を供給する。電源コイル６１の交流電力は誘導コイル９１に電力搬送されて、電池９２の充電に使用される。電池内蔵機器９０は、電池９２が満充電されたことを検出すると、充電を停止して、満充電信号をワイヤレス充電プレート４２に伝送する。電池内蔵機器９０は、誘導コイル９１に満充電信号を出力し、この満充電信号を誘導コイル９１から電源コイル６１に伝送して、ワイヤレス充電プレート４２に満充電の情報を伝送することができる。この電池内蔵機器９０は、交流電源６２と異なる周波数の交流信号を誘導コイル９１に出力し、ワイヤレス充電プレート４２はこの交流信号を電源コイル６１で受信して満充電を検出することができる。また、電池内蔵機器９０が特定周波数の搬送波を満充電信号で変調する信号を誘導コイル９１に出力し、ワイヤレス充電プレート４２が特定周波数の搬送波を受信し、この信号を復調して満充電信号を検出することもできる。さらに、電池内蔵機器９０は、満充電信号をワイヤレス充電プレート４２に無線伝送して、満充電の情報を伝送することもできる。この電池内蔵機器９０は、満充電信号を送信する送信器を内蔵しており、ワイヤレス充電プレート４２は満充電信号を受信する受信器を内蔵する。図１５に示す位置検出制御器６４は、内蔵される電池９２の満充電を検出する満充電検出回路６７を内蔵している。この満充電検出回路６７は、電池内蔵機器９０から出力される満充電信号を検出して、電池９２の満充電を検出する。
【００７５】
さらに、ワイヤレス充電プレート４２は、複数の電池内蔵機器９０を上面プレート７１に載せて、複数の電池内蔵機器９０を順番に切り換えて満充電することができる。このワイヤレス充電プレート４２は、最初にいずれかの電池内蔵機器９０の誘導コイル９１の位置を検出して、この誘導コイル９１に電源コイル６１を接近させて、この電池内蔵機器９０の電池９２を満充電する。この電池内蔵機器９０の電池９２が満充電されて、満充電検出回路６７が満充電信号を受信すると、位置検出制御器６４は、この電池内蔵機器９０とは別の位置にセットされる第２の電池内蔵機器９０の誘導コイル９１の位置を検出し、移動機構６３を制御して電源コイル６１を第２の電池内蔵機器９０の誘導コイル９１に接近させる。この状態で、第２の電池内蔵機器９０の電池９２に電力搬送して、この電池６２を満充電する。さらに、第２の電池内蔵機器９０の電池９２が満充電されて、第２の電池内蔵機器９０からの満充電信号を満充電検出回路６７が受信すると、位置検出制御器６４が、さらに第３の電池内蔵機器９０の誘導コイル９１を検出して、移動機構６３を制御して第３の電池内蔵機器９０の誘導コイル９１に電源コイル６１を接近させて、この電池内蔵機器９０の電池９２を満充電する。以上のように、複数の電池内蔵機器９０が上面プレート７１にセットされると、次々と電池内蔵機器９０を切り換えて内蔵される電池９２を満充電する。このワイヤレス充電プレート４２は、満充電された電池内蔵機器９０の位置を記憶して、満充電された電池内蔵機器９０の電池９２を充電しない。上面プレート７１の上にセットされる全ての電池内蔵機器９０の電池９２を満充電したことを検出すると、ワイヤレス充電プレート４２は、交流電源６２の動作を停止して電池９２の充電を停止する。
【００７６】
以上のワイヤレス充電プレート４２は、以下の動作で電池内蔵機器９０の内蔵電池９２を充電する。
（１）ケース７０の上面プレート７１に電池内蔵機器９０が載せられると、この電池内蔵機器９０の位置が位置検出制御器６４で検出される。
（２）電池内蔵機器９０の位置を検出した位置検出制御器６４は、移動機構６３を制御して、移動機構６３でもって電源コイル６１を上面プレート７１に沿って移動させて電池内蔵機器９０の誘導コイル９１に接近させる。
（３）誘導コイル９１に接近する電源コイル６１は、誘導コイル９１に電磁結合されて誘導コイル９１に交流電力を搬送する。
（４）電池内蔵機器９０は、誘導コイル９１の交流電力を整流して直流に変換し、この直流で内蔵される電池９２を充電する。
【００７７】
以上の充電台４０は、ワイヤレス充電プレート４２に、電源コイル６１と交流電源６２と移動機構６３とを内蔵して、ワイヤレス充電プレート４２の上に載せられる電池内蔵機器９０に内蔵される電池９２を磁気誘導作用で充電する構造としている。ただ、充電台は、必ずしもワイヤレス充電プレートを必要とせず、充電台の本体部に、電源コイルと交流電源と移動機構とを内蔵して、本体部の上に載せられる電池内蔵機器に内蔵される電池を磁気誘導作用で充電することもできる。
【００７８】
以上の充電台４０は、上面プレート７１の上に載せられる電池内蔵機器９０の位置に電源コイル６１を移動させる移動機構６３を内蔵しているので、電池内蔵機器９０を上面プレート７１の自由な位置にセットしながら、電池内蔵機器９０に内蔵される電池９２を便利に充電できる特徴がある。ただ、充電台は、必ずしも電源コイルを移動させる移動機構を備える必要はなく、図２２と図２３に示すように、ワイヤレス充電プレート１４２のケース１７０内の特定の位置に電源コイル６１を固定することもできる。この充電台１４０は、ワイヤレス充電プレート１４２を本体部１４１の上面に配置する状態で、ワイヤレス充電プレート１４２の上面プレート１７１の所定の位置に電池内蔵機器９０をセットして、内蔵される電池を充電する。
【００７９】
図２３に示す充電台１４０は、ワイヤレス充電プレート１４２の上面プレート１７１の所定の位置に電池内蔵機器９０をセットできるように、電池内蔵機器９０のセット位置を示す図形１７８を上面プレート１７１に表示している。この図形１７８は、電池内蔵機器９０に内蔵される誘導コイル９１を、ワイヤレス充電プレート１４２に内蔵される電源コイル６１の位置にセットできる模様とすることができる。ただ、ワイヤレス充電プレートの上面プレートに位置決め凸部を設けて、この位置決め凸部を案内する位置決め凹部を電池内蔵機器に設けて、電池内蔵機器を位置決めしながら上面プレートの所定の位置にセットすることもできる。以上の充電台１４０は、電池内蔵機器９０をワイヤレス充電プレート１４２の上面プレート１７１の所定の位置にセットして、誘導コイル９１を電源コイル６１に電磁結合させて、電池内蔵機器９０に内蔵される電池を充電する。ただ、この充電台も、必ずしもワイヤレス充電プレートを必要とせず、充電台の本体部に、電源コイルと交流電源とを内蔵して、本体部の上に載せられる電池内蔵機器に内蔵される電池を磁気誘導作用で充電することができる。
【００８０】
さらに、図８ないし図１０、図１３、図２２、及び図２３のソーラー充電器も、充電台４０、１０１、１４０に、蝶番３を介して積層状態に折り畳みできるように太陽電池パネル２を連結して、この太陽電池パネル２の裏面に表示パネル９を設けている。この表示パネル９は、図２４に示すように、太陽電池パネル２とサブの太陽電池パネル５０と外部電源２０の電力で、予備電池４５とサブの予備電池５５、１５、２５と、電池内蔵機器３０、９０を充電する状態を表示する。太陽電池パネル２とサブの太陽電池パネル５０と外部電源２０から入力される電力は、電池内蔵機器３０、９０と予備電池４５とサブの予備電池５５、１５、２５に供給される。図２４の表示パネル９は、太陽電池パネル２とサブの太陽電池パネル５０と外部電源２０と予備電池４５とサブの予備電池５５、１５、２５とワイヤレス充電プレート４２、１４２と電池内蔵機器３０、９０をブロックで示しており、太陽電池パネル２、サブの太陽電池パネル５０、及び外部電源２０から出力される電力が、予備電池４５、サブの予備電池５５、１５、２５、電池内蔵機器３０、及びワイヤレス充電プレート４２、１４２を介して電池内蔵機器９０に供給される経路と、予備電池４５及びサブの予備電池５５、１５、２５からの出力が、電池内蔵機器３０、及びワイヤレス充電プレート４２、１４２を介して電池内蔵機器９０に供給される経路をＬＥＤ１３を配列して表示している。図の表示パネル９は、各々の経路に複数のＬＥＤ１３を配置しており、電力が供給される経路にある複数のＬＥＤ１３を、電力の供給方向に順番に点滅して電力の供給状態を表示している。
【００８１】
以上のソーラー充電器は、充電できる電池を内蔵している電池内蔵機器３０、９０を、充電台１、４０、１０１、１４０の上に載せて充電する。したがって、電池内蔵機器３０、９０として、携帯電話、ゲーム機器、デジタルカメラ、ミュージックプレーヤー等の充電できる電池を内蔵している電子機器であって、充電台１、４０、１０１、１４０の上に載せて充電できる全ての機器が使用できる。また、この電池内蔵機器として、電池を着脱自在として装着することで、内蔵している電池を充電する充電器を利用することもできる。
【図面の簡単な説明】
【００８２】
【図１】本出願人が先に出願したソーラー充電器の斜視図である。
【図２】図１に示すソーラー充電器の断面図である。
【図３】本発明の一実施例にかかるソーラー充電器の斜視図である。
【図４】図１に示すソーラー充電器の使用状態を示す斜視図である。
【図５】図１に示すソーラー充電器の使用状態を示す側面図である。
【図６】本発明の一実施例にかかるソーラー充電器のブロック図である。
【図７】図３に示すソーラー充電器の表示パネルの表示例を示す概略図である。
【図８】本発明の他の実施例にかかるソーラー充電器の斜視図である。
【図９】図８に示すソーラー充電器の使用状態を示す斜視図である。
【図１０】図８に示すソーラー充電器の他の使用状態を示す斜視図である。
【図１１】図８に示すソーラー充電器の分解側面図である。
【図１２】本発明の他の実施例にかかるソーラー充電器のブロック図である。
【図１３】サブの予備電池の他の一例を示す底面斜視図である。
【図１４】図８に示すワイヤレス充電プレートの概略斜視図である。
【図１５】図８に示す充電台と電池内蔵機器のブロック回路である。
【図１６】図８に示すワイヤレス充電プレートの概略構成図である。
【図１７】図１６に示すワイヤレス充電プレートの垂直縦断面図である。
【図１８】図１６に示すワイヤレス充電プレートの垂直横断面図である。
【図１９】ワイヤレス充電プレートの位置検出制御器を示す回路図である。
【図２０】パルス信号で励起された誘導コイルから出力されるエコー信号の一例を示す図である。
【図２１】電源コイルと誘導コイルの相対的な位置ずれに対する発振周波数の変化を示す図である。
【図２２】本発明の他の実施例にかかるソーラー充電器の斜視図である。
【図２３】図２２に示すワイヤレス充電プレートに電池内蔵機器を装着する状態を示す斜視図である。
【図２４】本発明の他の実施例にかかるソーラー充電器の表示パネルの表示例を示す概略図である。
【符号の説明】
【００８３】
１…充電台
２…太陽電池パネル
３…蝶番
４…太陽電池
５…予備電池
６…凹部
７…凸部
８…充電回路
９…表示パネル
１０…電源コネクタ
１１…充電コネクタ
１２…ＵＳＢコネクタ
１３…ＬＥＤ
１５…サブの予備電池
１６…ケーシング
１７…電池
１８…バッテリコネクタ
２０…外部電源
２１…電源プラグ
２５…サブの予備電池
２６…ケーシング
２７…電池
２８…バッテリコネクタ
３０…電池内蔵機器
３１…接続コード
３２…接続プラグ
３３…ＵＳＢコード
３４…接続端子
４０…充電台
４１…本体部
４２…ワイヤレス充電プレート
４３…入力コネクタ
４４…出力コネクタ
４５…予備電池
４６…リード線
４７…接続プラグ
４８…充電回路
４９…位置決め連結部          ４９Ａ…位置決め凸部
４９Ｂ…位置決め凹部
５０…サブの太陽電池パネル
５１…リード線
５２…入力プラグ
５３…吸盤
５４…太陽電池
５５…サブの予備電池
５６…ケーシング
５７…電池
５８…バッテリコネクタ
５９…連結部                  ５９Ａ…嵌着凸部
５９Ｂ…嵌着凹部
６１…電源コイル
６２…交流電源
６３…移動機構
６４…位置検出制御器          ６４Ａ…第１の位置検出制御器
６４Ｂ…第２の位置検出制御器
６６…リード線
６７…満充電検出回路
７０…ケース
７１…上面プレート
７２…サーボモータ            ７２Ａ…Ｘ軸サーボモータ
７２Ｂ…Ｙ軸サーボモータ
７３…ネジ棒                  ７３Ａ…Ｘ軸ネジ棒
７３Ｂ…Ｙ軸ネジ棒
７４…ナット材                ７４Ａ…Ｘ軸ナット材
７４Ｂ…Ｙ軸ナット材
７５…ベルト
７６…ガイドロッド
７７…ガイド部
８０…位置検出コイル          ８０Ａ…Ｘ軸検出コイル
８０Ｂ…Ｙ軸検出コイル
８１…パルス電源
８２…受信回路
８３…識別回路
８４…切換回路
８５…リミッター回路
８６…Ａ／Ｄコンバータ
９０…電池内蔵機器
９１…誘導コイル
９２…電池
９３…コンデンサー
９４…共振回路
９５…ダイオード
９６…平滑コンデンサー
９７…整流回路
９８…充電制御回路
９９…窓ガラス
１０１…充電台
１０２…挿入凹部
１４０…充電台
１４１…本体部
１４２…ワイヤレス充電プレート
１７０…ケース
１７１…上面プレート
１７８…図形
２０１…ケース
２０２…底面
２０４…太陽電池
２０５…予備電池
２０６…外部電池
【図１】
2010074894.tif 000003
【図２】
2010074894.tif 000004
【図３】
2010074894.tif 000005
【図４】
2010074894.tif 000006
【図５】
2010074894.tif 000007
【図６】
2010074894.tif 000008
【図７】
2010074894.tif 000009
【図８】
2010074894.tif 000010
【図９】
2010074894.tif 000011
【図１０】
2010074894.tif 000012
【図１１】
2010074894.tif 000013
【図１２】
2010074894.tif 000014
【図１３】
2010074894.tif 000015
【図１４】
2010074894.tif 000016
【図１５】
2010074894.tif 000017
【図１６】
2010074894.tif 000018
【図１７】
2010074894.tif 000019
【図１８】
2010074894.tif 000020
【図１９】
2010074894.tif 000021
【図２０】
2010074894.tif 000022
【図２１】
2010074894.tif 000023
【図２２】
2010074894.tif 000024
【図２３】
2010074894.tif 000025
【図２４】
2010074894.tif 000026